(57)【特許請求の範囲】
【請求項１】
洗浄する食器類を載置する洗浄かごを収容する前面側が開口した洗浄槽と、この洗浄槽内に洗浄水を噴出するノズル体と、前記洗浄槽の開口の上半部分を開閉する上部ドアと、前記洗浄槽の開口の下半部分を開閉する下部ドアと、前記上部ドアと下部ドアを閉じた状態にロックするドアロック機構とを備えた食器洗浄機において、
前記ドアロック機構によるロックが解除されることによって前記下部ドアが自重によって自動的に手前側に倒れるように回動して前記洗浄槽の開口の下半部分を開放するように該下部ドアを支持すると共に該下部ドアの開放動作の途中から該下部ドアの回動に抵抗を与えて開放動作速度の上昇を抑制することによって該下部ドアが前記洗浄かごを前記洗浄槽から移動しうる全開位置に開いたときの衝撃を緩和する制動手段を設けたことを特徴とする食器洗浄機。
【請求項２】
請求項１において、前記下部ドアのロックは、上部ドアを開放するように操作することに連動して解除するようにしたことを特徴とする食器洗浄機。
【請求項３】
請求項１において、前記制動手段は、前記下部ドアの開放方向の回動に対して反力を与えるばねを備えたことを特徴とする食器洗浄機。
【請求項４】
請求項１において、前記ドアロック機構は、前記上部ドアに設けた取っ手の操作に連動して前記下部ドアに対するロックを解除するようにしたことを特徴とする食器洗浄機。
【請求項５】
請求項１において、前記ドアロック機構は、前記下部ドアが開いた状態では前記上部ドアに設けた上部ドアロック鉤片が挿入されるロック鉤穴を閉じるようにしたことを特徴とする食器洗浄機。
【発明の詳細な説明】
【０００１】
【発明の属する技術分野】
本発明は、食器洗浄機に関する。
【０００２】
【従来の技術】
食器洗浄機は、洗浄する食器類を載置する洗浄かごを収容する洗浄槽と、この洗浄槽内に洗浄水を噴出する洗浄水噴射系と、上縁部が洗浄槽の開口の上縁部に回動可能に支持されて開口の上半部分を塞ぎ、上方向に跳ね上げるように回動することにより洗浄槽の開口の上半部分を開放する上部ドアと、下縁部が洗浄槽の開口の下縁部に回動可能に支持されて開口の下半部分を塞ぎ、手前方向に倒れるように回動することにより洗浄槽の開口の下半部分を開閉する下部ドアと、ドアを閉合状態にロックするドアロック機構を備えている。
【０００３】
洗浄かごは、食器類を間に挟むように載置して該食器類の姿勢を整える食器類載置空間を形成する整姿枠を備えている。整姿枠は、載置した食器類の姿勢を整えて安定に支持するためには、載置した食器類の厚み（深さ）に適合した食器類載置空間を形成することが望ましい。
【０００４】
ドアロック機構は、上部ドアを跳ね上げるように回動操作するときに掴む取っ手に連動させてドアロックを解除するように構成し、このロック解除によって下部ドアが自動的に手前側に倒れるように回動して開口を開放するように構成すると便利である。
【０００５】
【発明が解決しようとする課題】
多様な食器（浅い食器と深い食器）類を載置して洗浄するためには、洗浄かご内に多様な間隔で整姿枠を配設して多様な食器類を整姿する食器類載置空間を形成することが望ましいが、小型の食器洗浄機内に収容する小型の洗浄かご内に多様な食器類載置空間を形成するように整姿枠を配設することは困難である。
【０００６】
また、下部ドアが自然に倒れるように回動して開口を開くように構成すると、ロックが解除されて自然に倒れるように回動する下部ドアが自重によって途中から加速して開放限界部材に当接することにより衝撃を発生する不具合が起る。
【０００９】
本発明の目的は、下部ドアがロックが解除されることによって自重によって自動的に手前側に倒れるように開放し、開放する下部ドアが自重によって加速して勢い良く回動するのを抑制することによって該下部ドアが洗浄かごを洗浄槽から移動しうる全開位置に開いたときの衝撃を緩和することができるように静粛な開放運動を行うことができる食器洗浄機を提案することにある。
【００１０】
【課題を解決するための手段】
本発明は、洗浄する食器類を載置する洗浄かごを収容する前面側が開口した洗浄槽と、この洗浄槽内に洗浄水を噴出するノズル体と、前記洗浄槽の開口の上半部分を開閉する上部ドアと、前記洗浄槽の開口の下半部分を開閉する下部ドアと、前記上部ドアと下部ドアを閉じた合状態にロックするドアロック機構とを備えた食器洗浄機において、前記ドアロック機構によるロックが解除されることによって前記下部ドアが自重によって自動的に手前側に倒れるように回動して前記洗浄槽の開口の下半部分を開放するように該下部ドアを支持すると共に該下部ドアの開放動作の途中から該下部ドアの回動に抵抗を与えて開放動作速度の上昇を抑制することによって該下部ドアが前記洗浄かごを前記洗浄槽から移動しうる全開位置に開いたときの衝撃を緩和する制動手段を設けたことを特徴とする。
【００１６】
そして、前記下部ドアのロックは、上部ドアを開放するように操作することに連動して解除するようにしたことを特徴とする。
【００１８】
また、前記制動手段は、下部ドアの開放方向の回動に対して反力を与えるばねを備えたことを特徴とする。
【００１９】
また、前記ドアロック機構は、上部ドアに設けた取っ手の操作に連動して下部ドアに対するロックを解除するようにしたことを特徴とする。
また、前記ドアロック機構は、下部ドアが開いた状態ではロック鉤穴を閉じるようにしたことを特徴とする。
【００２０】
【発明の実施の形態】
以下、本発明の実施の形態を図面を参照して説明する。
【００２１】
先ず、本発明になる食器洗浄機の概略構成を図１および図２を参照して説明する。図１はドアを閉じた状態の食器洗浄機の外観斜視図、図２はドアを開いて洗浄かごを引き出した状態の食器洗浄機の外観斜視図である。
【００２２】
外枠体１は、外枠板２，ベース台３およびフロントパネル４等によって構成し、外枠体１の前側には、下部ドア５と上部ドア６を開閉自在に設ける。
【００２３】
下部ドア５は該ドア５の下端縁の両側端部をヒンジ２１０によって外枠体１に回動自在に取り付けて支持し、手前側に引き倒して出し入れ開口の下半部分を開閉するように取り付ける。上部ドア６は、横割の２枚のドア片６１，６２をヒンジ（図示省略）によって折りたたみ自在に連結し、上側のドア片６２の上端縁の両側端部をヒンジ（図示省略）によって外枠体１に回動自在に取り付けて支持し、手前側から引き上げるように跳ね上げて出し入れ開口の上半部分を開閉する。２枚のドア片６１，６２は跳ね上げた状態では２つに折りたたまれた形態になるようにして背丈が高くなるのを軽減する。上部ドア６のドア片６１にはロック機構の解除と開閉操作のための取っ手６３を設け、ドア片６２には透明な部材を嵌め込んだ観察窓６４と排気窓６５を設ける。観察窓６４は、食器洗浄機の内部を覗くことを可能にし、排気口６５は、洗浄／乾燥運転に共なう蒸気等を排出するように機能する。
【００２４】
フロントパネル４の中央部には操作パネル４１を設け、その上側には残渣捕集用フィルタ４２を挿抜することにより着脱自在に設ける。
【００２５】
食器類を載置する洗浄かごは、開いた下部ドア５に沿って前後方向に移動（引き出し）可能な下部洗浄かご７１と前後方向に摺動させて引き出す上部洗浄かご７２を２段に収容する。特に、大きな洗浄空間に位置する下部洗浄かご７１は、高位載置部と低位載置部の２段構造を呈し、大きさ（特に厚さ）の異なる多様な食器類を所定の姿勢に安定に保持するように載置するための食器類載置空間を形成する固定整姿枠体と移動可能な可動整姿枠体を備える。この下部洗浄かご７１の詳細については、後述する。
【００２６】
図３は、図１および図２に示した食器洗浄機の内部構成を洗浄水噴射系に注目して示す模式図である。
【００２７】
外枠体１内には、外枠板２の内側に位置する洗浄槽７３とベース台３の内側に位置して前記洗浄槽７３の下部に水密状態に結合する水溜槽８１を設置する。
【００２８】
洗浄槽７３内には、前述した下部洗浄かご７１と上部洗浄かご７２を収容する。そして、下部洗浄かご７１の下側には該下部洗浄かご７１の高位置部に向けて洗浄水を噴射する下部回転ノズル体７４と低位置部に向けて洗浄水を噴射する下部固定ノズル体７５を設置し、上部洗浄かご７２の下側には下部洗浄かご７１と上部洗浄かご７２に向けて洗浄水を噴射する上部回転ノズル体７６を設置し、上部洗浄かご７２の上側には該上部洗浄かご７２に向けて洗浄水を噴射する上部固定ノズル体７７を備える。各ノズル体７４〜７７には分岐管７８から洗浄水を供給する。下部回転ノズル体７４と上部回転ノズル体７６は、噴射する洗浄水の反力によって回転する。
【００２９】
水溜槽８１は、洗浄槽７３内に噴射されて落下する洗浄水を受け止めて残渣捕集用フィルタ４２に案内する残渣ガイド板８２を内蔵し、底部には前記残渣捕集用フィルタ４２を通過した該水溜槽８１内の洗浄水を分配管９０に流下させる流出口８３を有する。
【００３０】
分配管９０は、前記水溜槽８１から残渣捕集用フィルタ４２を通して流下した洗浄水を受け入れて洗浄用ポンプ１００と排水用ポンプ１１０と水位センサ１２０に分配する分配水路９１を有する。
【００３１】
洗浄用ポンプ１００は、分配管９０内の分配水路９１から洗浄水を吸い込んで分岐管７８に給水し、排水用ポンプ１１０は、分配管９０内の分配水路９１から洗浄水を吸い込んで機外に排水し、水位センサ１２０は、分配管９０内の分配水路９１の水圧に基づいて水溜槽８１内の洗浄水の水位を検出する。
【００３２】
下部洗浄かご７１は、図４（ａ）〜（ｄ）に示すように、基枠７１１に組み立てられた固定整姿枠７１２と、この固定整姿枠７１２に対して前後方向に移動可能に組み付けられた可動整姿枠７１３と、摺動ガイド７１４と、可動整姿枠７１３が固定整姿枠７１２に対して移動するのを制動する制動部材７１５と、進退移動を円滑にする車輪７１６を備える。
【００３３】
前記基枠７１１は、ステンレス鋼材（棒状体）により形成した横長の長方形状の外枠部材７１１ａと、ステンレス鋼材（棒状体）の中央部を折り曲げて形成して所定の間隔で並べて配置した複数本の横格子部材７１１ｂと、この横格子部材７１１ｂと直交するように配置して組み合わせたステンレス鋼材（棒状体）の縦格子部材７１１ｃとを備え、それぞれの交差部を溶接することにより幅方向に段違い（２段）の載置部７１１ｄ，７１１ｅを形成した目の粗い格子棚状の形態に構成する。
【００３４】
前記固定整姿枠７１２は、ステンレス鋼材（棒状体）の固定整姿部材７１２ａを横格子部材７１１ｂに溶接して各載置部７１１ｄ，７１１ｅに逆ハ状に起立させた構成である。
【００３５】
また、前記可動整姿枠７１３は、基枠７１１の各載置部７１１ｄ，７１１ｅに前記固定整姿枠７１２に対向させて設ける。各可動整姿枠７１３は、図５に示すように、両端部を鈍角に斜め上方向に折り曲げたステンレス鋼材（棒状体）の複数本の可動整姿部材７１３ａを前記縦格子部材７１１ｃの内側に隣接する幅寸法に形成した摺動枠７１３ｂ上に組み合わせて交差部を溶接することにより前記折り曲げ部分を前記固定整姿部材７１２ａと平行して斜めに起立するようにした構成である。可動整姿部材７１３ａの間隔は、基枠７１１に取り付けた固定整姿部材７１２ａの間隔に等しくし、縦格子部材７１１ｃの上を固定整姿部材７１３ａの間隔内で前後（奥行き）方向に摺動するように該縦格子部材７１１ｃ上に載置する。基枠７１１の縦格子部材７１１ｃと可動整姿枠７１３における摺動枠７１３ｂは、可動整姿枠７１３を基枠７１１上に載置した状態において隣接状態となるように構成し、縦格子部材７１１ｃと摺動枠７１３ｂを摺動可能な摺動ガイド７１５によって包囲することによって基枠７１１上における可動整姿枠７１３の摺動を安定させる。
【００３６】
摺動ガイド７１４は、可動整姿枠７１３が基枠７１１上を安定して摺動するように該可動整姿枠７１３を基枠７１１上に支持するように機能する。この摺動ガイド７１４は、図６に示すように、２本の棒状部材を隣接状態に抱き抱えるように収容するために下側を開放させた嵌着空間７１４ａを備え、この嵌着空間７１４ａに体格子部材７１１ｃと摺動枠７１３ｂを嵌着して隣接状態で摺動させるように包囲する。
【００３７】
前記制動部材７１５は、各可動整姿枠７１３に対向するように設ける。各制動部材７１５は、図７に示すように、基枠体７１１に嵌着して設置した基部７１５ａから可動整姿枠７１３の移動方向に伸びる弾性部材７１５ｂを可動整姿枠７１３の摺動枠７１３ｂの下側に当接し、この弾性部材７１５ｂに形成した制止溝７１５ｃに摺動枠７１３ｂを嵌入することにより可動整姿枠７１３を該位置に制止するようにする。７１５ｄ，７１５ｅは、縦格子部材７１１ｃに嵌着するための溝、７１５ｆは、横格子部材７１１ｂに嵌着するための溝である。この制止位置は、可動整姿部材７１３ａが固定整姿部材７１２ｂに隣接した位置と、前後の固定整姿部材７１２ｂの中間の位置となるように設定する。この制止位置は、必要に応じて、多段階に設定することができる。
【００３８】
このように可動整姿枠７１３を移動／制止可能にすることによって、固定整姿枠７１２と可動整姿枠７１３の間に形成する食器類載置空間の奥行き（厚み）を倍／半分に変化させることがでる。従って、載置して洗浄する食器類の厚みに相応する食器類載置空間を形成するように可動整姿枠７１３を移動させることにより、小型の洗浄かご内に多様な食器類に適合した多様な食器類載置空間を形成することができるようになる。
【００３９】
そして、車輪７１６は、食器類の出し入れを行うために下部洗浄かご７１を進退移動させるときに洗浄槽７３および開いた下部ドア５上を転動して該下部洗浄かご７１の円滑な移動を支援する。
【００４０】
図８は、下部洗浄かごに薄手の食器類を載置した状態を示している。可動整姿部材７１３ａが固定整姿枠７１２の前後の固定整姿部材７１２ａの中間に位置するように可動整姿枠７１３を移動させて摺動枠７１３ｂを制動部材４１７の制止溝７１５ｃに嵌入して制止状態とすることにより、固定整姿部材７１２ａと可動整姿部材７１３ａの間に形成する食器類載置空間を狭めて薄手の食器２０１を安定に載置して洗浄することができる状態にしている。
【００４１】
図９は、下部洗浄かごに薄手の食器類を載置した状態を示している。可動整姿部材７１３ａが固定整姿枠７１２の手前側の固定整姿部材７１２ａに隣接するように可動整姿枠７１３を移動させることにより固定整姿部材７１２ａと可動整姿部材７１３ａの間に形成する食器類載置空間を広めて厚手の食器２０２を安定に載置して洗浄することができる状態にしている。
【００４２】
次に、ドア機構について、図１０，図１１を参照して説明する。
【００４３】
下部ドア５の下縁の両側端部を外枠体１に回動自在に取り付けて支持するヒンジ２１０は、回動金具２１１と固定金具２１２を連結ピン２１３によって回動自在に連結して構成し、回動金具２１１を下部ドア５を取り付け、固定金具２１２をベース台３に取り付ける。回動金具２１１は、下部ドア５の内側に隣接して位置する傾斜縁に形成した下部ドアロック溝２１１ａと連結ピン２１３を越えてベース台２内に伸びるように形成した制動用張出し部２１１ｂを備え、固定金具２１２はばね掛け部２１２ａを備える。
【００４４】
外枠板２において前記ドア５，６が当接する開口側端縁面部２１には、上部ドア６のドア片６１の取っ手６３の操作に連動してドアのロックと解除を行うロック機構３００を構成する上部ドアロック鉤片３０１を受入れて係止するロック鉤穴２１ａを設ける。上部ドアロック鉤片３０１は、ドア片６１が開口を閉じるように開口側端縁面部２１に押し付けられることによりロック鉤穴２１ａの縁を滑動して該ロック鉤穴２１ａ内に進入して該縁に抜け止め状態に係合する。
【００４５】
開口側端縁面部２１の内側には、ガイド部材３０２〜３０７によって該開口側端縁面部２１に沿って上下方向に摺動する連係部材３０８を設置する。この連係部材３０８の上端部は前記ロック鉤穴２１ａの内側において開口側端縁面部２１の内側に摺動するように構成し、該部には前記ロック鉤穴２１ａと重畳して前記上部ドアロック鉤片３０１が入り込む連係穴３０８ａを設ける。この連係部材３０８は、前記ばね掛け部２１２ａと対向する位置に起立させたばね掛けピン３０９を備え、ばね掛け部２１２ａとばね掛けピン３０９の間に張架した制動ばね３１０によって下向きにばね荷重が与えられ、ガイド部材３０６の頂部に設けたストッパ３１１に当接して制止する。連結部材３０８は、この制止状態において、前記連係穴３０８ａがロック鉤穴２１ａと整合状態となって上部ドアロック鉤片３０１の進入を許容し、下端部分が回動金具２１１の制動用張出し部２１１ｂの回動軌道に進出する。
【００４６】
回動金具２１１の下部ドアロック溝２１１ａに嵌入して該回動金具２１１のドア開放方向の回動動作を不能にする下部ドアロック片３１２は、ガイド部材３０４とガイド部材３０６の間に上下方向に摺動自在に設置する。この下部ドアロック片３１２は、この下部ドアロック片３１２に起立させて前記連係部材３０８の貫通窓３０８ｂを貫通させたばね掛けピン３１３との間に張架したロックばね３１４によって下向きのばね荷重を与え、下部ドア５が閉じた状態になるときには下部ドアロック片３１２の下端が回動金具２１１の傾斜縁に当接して上向きの分力が発生することにより該下部ドアロック片３１２の下端が該傾斜縁を摺動しながらロックばね３１４に逆らって後退（上昇）し、下端が下部ドアロック溝２１１ａに整合したときにロックばね３１４によって前進（下降）して該下部ドアロック溝２１１ａに嵌入するように構成する。
【００４７】
このようなドア機構を備えた食器洗浄機は、下部ドア５と上部ドア６を閉じた状態では、図１０に示すように、下部ドア５は、ヒンジ２１０の回動金具２１１の下部ドアロック溝２１１ａに下部ドアロック片３１２の下端が嵌入して開放方向の回動が阻止されたロック状態となる。
【００４８】
また、上部ドア６は、上部ドアロック鉤片３０１がロック鉤穴２１ａと連係部材３０８の連係穴３０８ａに進入してロック鉤穴２１ａの縁に係合することにより上部ドア６（ドア片６１）をロック状態となる。
【００４９】
そして、ドアを開くときには、上部ドア６のドア片６１に設けた取っ手６３を引くことにより上部ドアロック鉤片３０１が反時計方向に回動してロック鉤穴２１ａの縁から外れると共に連係部材３０８を引き上げる。上部ドア６は、取っ手６３を手前側に引いてから押し上げるように操作して開放する。
【００５０】
下部ドア５は、連係部材３０８の引き上げによってばね掛けピン３１３を介して下部ドアロック片３１２が連動して引き上げられて下端を回動金具２１１の下部ドアロック溝２１１ａから引き抜かれることにより該回動金具２１１が開放方向に回動可能になる。これにより、下部ドア５は６１に押されて、その後は自重によって手前側に倒れるように回動して開口を開放する。初期の回動力は、開放ばね（図示省略）によって与えるようにしても良い。
【００５１】
下部ドア５が自重によって開放動作するときに、回動金具２１１が反時計方向に回動する。そして、回動の途中において制動用張出し部２１１ｂが連係部材３０８の下端に当接して制動ばね３１０の荷重が該制動用張出し部２１１ｂに作用することによって該制動用張出し部２１１ｂの回動速度を抑制するような制動力を発生させ、下部ドア５の開放速度の上昇を抑制し、全開時の衝撃を緩和する。
【００５２】
そして、下部ドア５が開いた状態になると、図１１に示すように、連係部材３０８が制動用張出し部２１１ｂによって押し上げられることによって連係穴３０８ａがロック鉤穴２１ａからずれた状態になって該ロック鉤穴２１ａを塞ぐようにする。これは、ドアを閉じるときに、下部ドア５を閉じてから上部ドア６を閉じるようにしてドアの気密状態を維持するように構成したドア構造に適合したドア操作を遵守させるための構成であり、下部ドア５を閉じると連係部材３０８が下降して連係穴３０８ａがロック鉤穴２１ａと整合状態となって上部ドアロック鉤片３０１が進入することを可能として、上部ドア６を閉じてロックすることを可能にする。
【００５４】
【発明の効果】
本発明は、下部ドアは、ロックが解除されることによって自重によって自動的に手前側に倒れて開放するように支持し、そして、開放する下部ドアの回動動作の途中から該回動動作に抵抗する制動手段を設けたことにより、下部ドアは、ロックが解除されると自重によって自動的に手前側に倒れるように開放すると共に該下部ドアの開放速度が自重によって加速するのを抑制して該下部ドアが洗浄かごを洗浄槽から移動しうる開放状態となる全開時の衝撃を緩和して静粛な開放運動を行うことができる。
【００５５】
そして、総合的には、小型で使い易い食器洗浄機とすることができる。
【図面の簡単な説明】
【図１】本発明になる食器洗浄機の外観斜視図である。
【図２】図１に示した食器洗浄機のドアを開いて洗浄かごを引き出した状態を示す斜視図である。
【図３】図１に示した食器洗浄機における内部構成を洗浄水噴射系に注目して示す模式図である。
【図４】下部洗浄かごを示すもので、（ａ）は縦断正面図、（ｂ）は平面図、（ｃ）は左側面図、（ｄ）は右側面図である。
【図５】可動姿勢枠を示すもので、（ａ）は正面図、（ｂ）は右側面図、（ｃ）は平面図である。
【図６】摺動ガイドを示すもので、（ａ）は正面図、（ｂ）は縦断側面図、（ｃ）は平面図である。
【図７】制動部材を示すものあで、（ａ）は正面図、（ｂ）は左側面図、（ｃ）は平面図である。
【図８】下部洗浄かごに薄手の食器類を載置した状態を示しおり、（ａ）は平面図、（ｂ）は右側面図である。
【図９】下部洗浄かごに厚手の食器類を載置した状態を示しおり、（ａ）は平面図、（ｂ）は右側面図である。
【図１０】ドアを閉じた状態におけるドア機構部の縦断側面図である。
【図１１】ドアを開いた状態におけるドア機構部の縦断側面図である。
【符号の説明】
１…外枠体、２…外枠板、５…下部ドア、６…上部ドア、２１…開口側端縁面部、２１ａ…ロック鉤穴、６３…取っ手、７１…下部洗浄かご、２１０…ヒンジ、２１１…回動金具、２１１ａ…下部ドアロック溝、２１１ｂ…制動用張出し部、３００…ロック機構、３０１…上部ドアロック鉤片、３０８…連係部材、３１０…制動ばね、３１２…下部ドアロック片、７１１…基枠、７１２…固定姿勢枠、７１３…可動姿勢枠、７１４…制動部材、７１５…摺動ガイド。
【図１】
0003839233.tif 000002
【図２】
0003839233.tif 000003
【図３】
0003839233.tif 000004
【図４】
0003839233.tif 000005
【図５】
0003839233.tif 000006
【図６】
0003839233.tif 000007
【図７】
0003839233.tif 000008
【図８】
0003839233.tif 000009
【図９】
0003839233.tif 000010
【図１０】
0003839233.tif 000011
【図１１】
0003839233.tif 000012